(57)【要約】【課題】アプリケーション単位の規制処理が行われる場合に、ユーザに対して規制対象のアプリケーションを容易に知らせる。【解決手段】本発明に係る移動局ＵＥは、移動局ＵＥで実行可能なアプリケーションを記憶するように構成されている記憶部１３と、アプリケーションに対応するアイコンをディスプレイ上に表示するように構成されている表示部１４と、ＳＳＡＣ情報又はＡＣＤＣ情報に基づいて、規制対象のアプリケーションを判定するように構成されている判定部１２とを具備しており、表示部１４は、規制対象のアプリケーションに対応するアイコンと規制対象のアプリケーション以外のアプリケーションに対応するアイコンとの間で表示方法を変更するように構成されている。【選択図】図３
2014138385.tif 000002
【特許請求の範囲】
【請求項１】
移動局であって、
前記移動局で実行可能なアプリケーションを記憶するように構成されている記憶部と、
前記アプリケーションに対応するアイコンをディスプレイ上に表示するように構成されている表示部と、
規制情報に基づいて、規制対象のアプリケーションを判定するように構成されている判定部とを具備しており、
前記表示部は、前記規制対象のアプリケーションについての判定結果に基づいて、前記ディスプレイ上に表示する前記移動局で実効可能なアプリケーションに対応するアイコンの表示方法を変更するように構成されていることを特徴とする移動局。
【請求項２】
前記表示部は、前記規制対象のアプリケーションに対応するアイコンの配色、大きさ、形状、アイコンの表示形態及び表示場所の少なくとも１つを変更するように構成されていることを特徴とする請求項１に記載の移動局。
【請求項３】
前記表示部は、前記規制対象のアプリケーション以外のアプリケーションに対応するアイコンの配色、大きさ、形状、アイコンの表示形態及び表示場所の少なくとも１つを変更するように構成されていることを特徴とする請求項１に記載の移動局。
【請求項４】
前記表示部は、前記規制情報に含まれている規制率を表示するように構成されていることを特徴とする請求項１乃至３のいずれか一項に記載の移動局。
【請求項５】
前記表示部は、前記規制情報に含まれている規制率に基づいて、前記規制対象のアプリケーションに対応するアイコンの配色、大きさ、形状、アイコンの表示形態及び表示場所の少なくとも１つを変更するように構成されていることを特徴とする請求項２に記載の移動局。
【請求項６】
前記表示部は、前記規制対象のアプリケーションの変更を検知した場合に、その旨について音声又は文字により通知を行うように構成されていることを特徴とする請求項１乃至５のいずれか一項に記載の移動局。
【請求項７】
前記記憶部は、前記アプリケーションに代替可能なアプリケーションを記憶するように構成されており、
前記表示部は、前記規制対象のアプリケーションに代替可能なアプリケーションの使用を促す情報を前記ディスプレイ１４Ａに表示するように構成されていることを特徴とする請求項１乃至６のいずれか一項に記載の移動局。
【請求項８】
前記記憶部は、前記アプリケーションに代替可能なアプリケーションを記憶するように構成されており、
前記表示部は、前記規制対象のアプリケーションに代替可能なアプリケーションの使用を促す情報についての音声又は文字により通知を行うように構成されていることを特徴とする請求項１乃至６のいずれか一項に記載の移動局。
【発明の詳細な説明】
【技術分野】
【０００１】
本発明は、移動局に関する。
【背景技術】
【０００２】
昨今広く普及している「スマートフォン」と呼ばれる移動局ＵＥ等では、ユーザは、様々なアプリケーションを自由にインストールでき、これらのアプリケーションを迅速に利用できるように、これらのアプリケーションに対応するアイコンをディスプレイ上に表示させることができる。
【０００３】
また、ネットワークの輻輳を回避、軽減するために行われる規制処理において音声サービスを規制する「ＳＳＡＣ（Ｓｅｒｖｉｃｅ  Ｓｐｅｃｉｆｉｃ  Ａｃｃｅｓｓ  Ｃｌａｓｓ）」や、音声通信等の重要なアプリケーションについてデータ通信等のアプリケーションと一緒に規制されないように、アプリケーション単位の柔軟な規制処理として「ＡＣＤＣ（Ａｐｐｌｉｃａｔｉｏｎ  ｓｐｅｃｉｆｉｃ  Ｃｏｎｇｅｓｔｉｏｎ  ｃｏｎｔｒｏｌ  ｆｏｒ  Ｄａｔａ  Ｃｏｍｍｕｎｉｃａｔｉｏｎ）」等が考えられている。
【先行技術文献】
【非特許文献】
【０００４】
【非特許文献１】３ＧＰＰ  ＴＳ３６.３３１
【非特許文献２】３ＧＰＰ  ＴＳ２４.１７３
【発明の概要】
【発明が解決しようとする課題】
【０００５】
しかしながら、従来の移動局ＵＥでは、アプリケーション単位の規制処理が行われている場合であっても、ユーザは、どのアプリケーションが規制対象になっているのかについて把握することができず、あるアプリケーションの利用を試みて初めて当該アプリケーションが規制されていることが判明する等、容易に規制されていることを認識できないという問題点があった。
【０００６】
そこで、本発明は、上述の課題に鑑みてなされたものであり、アプリケーション単位の規制処理が行われる場合に、ユーザに対して規制対象のアプリケーションを容易に知らせることができる移動局を提供することを目的とする。
【課題を解決するための手段】
【０００７】
本発明の第１の特徴は、移動局であって、前記移動局で実行可能なアプリケーションを記憶するように構成されている記憶部と、前記アプリケーションに対応するアイコンをディスプレイ上に表示するように構成されている表示部と、規制情報に基づいて、規制対象のアプリケーションを判定するように構成されている判定部とを具備しており、前記表示部は、前記規制対象のアプリケーションについての判定結果に基づいて、前記ディスプレイ上に表示する前記移動局で実効可能なアプリケーションに対応するアイコンの表示方法を変更するように構成されていることを要旨とする。
【発明の効果】
【０００８】
以上説明したように、本発明によれば、アプリケーション単位の規制処理が行われる場合に、ユーザに対して規制対象のアプリケーションを容易に知らせることができる移動局を提供することができる。
【図面の簡単な説明】
【０００９】
【図１】本発明の第１の実施形態に係る移動通信システムの全体構成図である。
【図２】本発明の第１の実施形態に係る移動局の機能ブロック図である。
【図３】本発明の第１の実施形態に係る移動局の表示画面の一例を示す図である。
【発明を実施するための形態】
【００１０】
（本発明の第１の実施形態に係る移動通信システム）
図１乃至図４を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００１１】
本実施形態に係る移動通信システムは、図１に示すように、無線基地局ｅＮＢと、移動局ＵＥとを具備している。
【００１２】
ここで、本実施形態に係る移動通信システムでは、無線基地局ｅＮＢは、移動局ＵＥに対して、ＳＳＡＣを行うための規制情報であるＳＳＡＣ情報や、ＡＣＤＣを行うための規制情報であるＡＣＤＣ情報を送信することができるように構成されている。
【００１３】
例えば、ＳＳＡＣ情報は、ＩＭＳ（ＩＰ  Ｍｕｌｔｉｍｅｄｉａ  Ｓｕｂｓｙｓｔｅｍ）レベルのサービス単位の規制処理を行うための規制情報である。なお、ＩＭＳレベルのサービスには、ＩＭＳ-Ｖｏｉｃｅ（例えば、ＶｏＬＴＥ：Ｖｏｉｃｅ  ｏｖｅｒ  ＬＴＥ）サービスや、ＩＭＳ-Ｖｉｄｅｏ（例えば、ＴＶ電話）サービス等が想定されている。
【００１４】
本実施形態に係る移動局ＵＥは、例えば、「スマートフォン」と呼ばれる移動局ＵＥであって、図２に示すように、受信部１１と、判定部１２と、記憶部１３と、表示部１４とを具備している。
【００１５】
受信部１１は、無線基地局ｅＮＢから各種信号を受信するように構成されている。例えば、受信部１１は、無線基地局ｅＮＢから、ＳＳＡＣ情報やＡＣＤＣ情報等の規制情報を受信するように構成されている。かかる各種信号は、報知情報で送信されていてもよいし、個別の制御信号で送信されてもよい。
【００１６】
判定部１２は、ＳＳＡＣ情報又はＡＣＤＣ情報等の規制情報に基づいて、規制対象のアプリケーションを判定するように構成されている。
【００１７】
例えば、受信部１１が、ＳＳＡＣ情報を受信した場合、判定部１２は、報知情報で送信されるＳＳＡＣ情報によって規制されているサービス（例えば、ＩＭＳ-Ｖｏｉｃｅ（ＶｏＬＴＥ）サービス）に対応するアプリケーション（例えば、通話用アプリケーション）を規制対象のアプリケーションと判定し、その他のサービス（例えば、メール用アプリケーションや災害伝言板用アプリケーション）を規制対象のアプリケーション以外のアプリケーションと判定するように構成されていてもよい。
【００１８】
或いは、受信部１１が、ＡＣＤＣ情報を受信した場合、判定部１２は、かかるＡＣＤＣ情報によって規制されているアプリケーションのランクに対応するアプリケーション（例えば、Ｓｋｙｐｅ）を規制対象のアプリケーションと判定し、その他のサービス（例えば、ＶｏＬＴＥサービス用アプリケーション）を規制対象のアプリケーション以外のアプリケーションと判定するように構成されていてもよい。
【００１９】
記憶部１３は、移動局ＵＥで実行可能なアプリケーションを記憶するように構成されている。すなわち、記憶部１３は、移動局ＵＥにインストールされているアプリケーションを記憶するように構成されている。
【００２０】
また、記憶部１３は、移動局ＵＥによって設定されているが、移動局ＵＥに未だインストールされていないアプリケーションを記憶するように構成されていてもよい。
【００２１】
さらに、記憶部１３は、存在する場合、各アプリケーションに代替可能なアプリケーションを記憶するように構成されていてもよい。
【００２２】
表示部１４は、図３（ａ）に示すように、移動局ＵＥで実行可能なアプリケーションに対応するアイコン１４０〜１５１をディスプレイ１４Ａ上に表示するように構成されている。
【００２３】
ここで、表示部１４は、ユーザによる設定に応じて、対応するアイコン１４０〜１５１をディスプレイ１４Ａ上に表示すべきアプリケーションを決定するように構成されていてもよい。すなわち、表示部１４は、ユーザによって設定されたアプリケーションに対応するアイコン１４０〜１５１のみをディスプレイ１４Ａ上に表示するように構成されていてもよい。
【００２４】
また、表示部１４は、図３（ｂ）及び図３（ｃ）に示すように、規制対象のアプリケーションに対応するアイコン１４１/１４３〜１４５/１４７/１４９〜１５１と規制対象のアプリケーション以外のアプリケーションに対応するアイコン１４０/１４２/１４６/１４８との間で表示方法を変更するように構成されている。
【００２５】
ここで、表示部１４は、規制対象のアプリケーションに対応するアイコン１４１/１４３〜１４５/１４７/１４９〜１５１の配色、大きさ、形状、アイコンの表示形態及び表示場所の少なくとも１つを変更するように構成されていてもよい。
【００２６】
なお、表示形態には、アイコンの点滅、回転、フェイドアウト等の動作が含まれる。
【００２７】
例えば、図３（ｂ）に示すように、表示部１４は、規制対象のアプリケーションに対応するアイコン１４１/１４３〜１４５/１４７/１４９〜１５１の配色を「黒」に変更するように構成されていてもよい。
【００２８】
また、図３（ｃ）に示すように、表示部１４は、規制対象のアプリケーションに対応するアイコン１４１/１４３〜１４５/１４７/１４９〜１５１を表示しないように構成されていてもよい。
【００２９】
また、表示部１４は、規制対象のアプリケーションに対応するアイコン１４１/１４３〜１４５/１４７/１４９〜１５１の大きさを、規制対象のアプリケーション以外のアプリケーションに対応するアイコン１４０/１４２/１４６/１４８よりも小さくするように構成されていてもよい。
【００３０】
さらに、表示部１４は、規制対象のアプリケーションに対応するアイコン１４１/１４３〜１４５/１４７/１４９〜１５１の表示場所を、規制対象のアプリケーション以外のアプリケーションに対応するアイコン１４０/１４２/１４６/１４８の表示場所の下方（或いは、上方）に変更するように構成されていてもよい。
【００３１】
或いは、表示部１４は、規制対象のアプリケーション以外のアプリケーションに対応するアイコン１４０/１４２/１４６/１４８の配色、大きさ及び表示場所の少なくとも１つを変更するように構成されていてもよい。
【００３２】
例えば、表示部１４は、規制対象のアプリケーション以外のアプリケーションに対応するアイコン１４０/１４２/１４６/１４８の配色を「赤」に変更するように構成されていてもよい。
【００３３】
また、表示部１４は、規制対象のアプリケーション以外のアプリケーションに対応するアイコン１４０/１４２/１４６/１４８の大きさを、規制対象のアプリケーションに対応するアイコン１４１/１４３〜１４５/１４７/１４９〜１５１の大きさよりも大きくするように構成されていてもよい。
【００３４】
さらに、表示部１４は、規制対象のアプリケーション以外のアプリケーションに対応するアイコン１４０/１４２/１４６/１４８の表示場所を、規制対象のアプリケーションに対応するアイコン１４１/１４３〜１４５/１４７/１４９〜１５１の表示場所の上方（或いは、下方）に変更するように構成されていてもよい。
【００３５】
また、表示部１４は、ＳＳＡＣ情報又はＡＣＤＣ情報に含まれている規制率を表示するように構成されていてもよい。
【００３６】
或いは、表示部１４は、ＳＳＡＣ情報又はＡＣＤＣ情報に含まれている規制率を直接表示する代わりに、ＳＳＡＣ情報又はＡＣＤＣ情報に含まれている規制率に基づいて、規制対象のアプリケーションに対応するアイコンの配色、大きさ、形状、アイコンの表示形態及び表示場所の少なくとも１つを変更するように構成されていてもよい。
【００３７】
また、表示部１４は、規制対象のアプリケーションに代替可能なアプリケーションの使用を促す情報をディスプレイ１４Ａに表示するように構成されていてもよい。
【００３８】
或いは、表示部１４は、規制対象のアプリケーションに代替可能なアプリケーションの使用を促す情報についての音声通知或いは文字通知を行うように構成されていてもよい。
【００３９】
さらに、表示部１４は、規制対象のアプリケーションの変更を検知した場合に、その旨について音声又は文字により通知を行うように構成されていてもよい。
【００４０】
以上に述べた本実施形態の特徴は、以下のように表現されていてもよい。
【００４１】
本実施形態の第１の特徴は、移動局ＵＥであって、移動局ＵＥで実行可能なアプリケーションを記憶するように構成されている記憶部１３と、アプリケーションに対応するアイコンをディスプレイ１４Ａ上に表示するように構成されている表示部１４と、ＳＳＡＣ情報又はＡＣＤＣ情報（規制情報）に基づいて、規制対象のアプリケーションを判定するように構成されている判定部１２とを具備しており、表示部１４は、規制対象のアプリケーションについての判定結果に基づいて、ディスプレイ１４Ａ上に表示する移動局ＵＥで実効可能なアプリケーションに対応するアイコンの表示方法を変更するように構成されていることを要旨とする。
【００４２】
かかる特徴によれば、規制対象のアプリケーションに対応するアイコンの表示方法と、規制対象のアプリケーション以外のアプリケーションに対応するアイコンの表示方法とが異なるため、ユーザは、アプリケーション単位の規制処理が行われている場合に、規制対象のアプリケーションを把握することができる。
【００４３】
本実施形態の第１の特徴において、表示部１４は、規制対象のアプリケーションに対応するアイコンの配色、大きさ、形状、アイコンの表示形態及び表示場所の少なくとも１つを変更するように構成されていてもよい。
【００４４】
かかる特徴によれば、ユーザは、ディスプレイ上に表示されているアプリケーションのアイコンの配色、大きさ、形状、アイコンの表示形態及び表示場所に基づいて、規制対象のアプリケーション容易に把握することができる。
【００４５】
本実施形態の第１の特徴において、表示部１４は、規制対象のアプリケーション以外のアプリケーションに対応するアイコンの配色、大きさ、形状、アイコンの表示形態及び表示場所の少なくとも１つを変更するように構成されていてもよい。
【００４６】
かかる特徴によれば、ユーザは、ディスプレイ上に表示されているアプリケーションのアイコンの配色、大きさ、形状、アイコンの表示形態及び表示場所に基づいて、規制対象のアプリケーションを容易に把握することができる。
【００４７】
本実施形態の第１の特徴において、表示部１４は、ＳＳＡＣ情報又はＡＣＤＣ情報に含まれている規制率を表示するように構成されていてもよい。
【００４８】
かかる特徴によれば、アプリケーション単位の規制処理が行われている場合に、ユーザは、各アプリケーションの規制率を把握することができるので、アプリケーションごとの実行可能性を推測することができる。
【００４９】
本実施形態の第１の特徴において、表示部１４は、ＳＳＡＣ情報又はＡＣＤＣ情報に含まれている規制率に基づいて、規制対象のアプリケーションに対応するアイコンの配色、大きさ、形状、アイコンの表示形態及び表示場所の少なくとも１つを変更するように構成されていてもよい。
【００５０】
かかる特徴によれば、アプリケーション単位の規制処理が行われている場合に、ユーザは、各アプリケーションの規制率を把握することができるので、アプリケーションごとの実行可能性を推測することができる。
【００５１】
本実施形態の第１の特徴において、表示部１４は、規制対象のアプリケーションの変更を検知した場合に、その旨について音声又は文字により通知を行うように構成されていてもよい。
【００５２】
かかる特徴によれば、ユーザは、規制対象のアプリケーションの変更について容易に発見することができる。
【００５３】
本実施形態の第１の特徴において、記憶部１３は、アプリケーションに代替可能なアプリケーションを記憶するように構成されており、表示部１４は、規制対象のアプリケーションに代替可能なアプリケーションの使用を促す情報をディスプレイ１４Ａに表示するように構成されていてもよい。
【００５４】
かかる特徴によれば、ユーザが、規制対象のアプリケーションを使用することができない場合であっても、かかるアプリケーションに代替可能なアプリケーションを容易に把握することができ、所望のサービスを利用することができる。
【００５５】
本実施形態の第１の特徴において、記憶部１３は、アプリケーションに代替可能なアプリケーションを記憶するように構成されており、表示部１４は、規制対象のアプリケーションに代替可能なアプリケーションの使用を促す情報についての音声通知を行うように構成されていてもよい。
【００５６】
かかる特徴によれば、ユーザが、規制対象のアプリケーションを使用することができない場合であっても、かかるアプリケーションに代替可能なアプリケーションを容易に把握することができ、所望のサービスを利用することができる。
【００５７】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００５８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００６０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６１】
ＵＥ…移動局
ｅＮＢ…無線基地局
１１…受信部
１２…判定部
１３…記憶部
１４…表示部
１４Ａ…ディスプレイ
１４０〜１５１…アイコン
【図１】
2014138385.tif 000003
【図２】
2014138385.tif 000004
【図３】
2014138385.tif 000005